(57)【要約】【課題】現場で組立てる足場の構造を立体的に確認できると共に、組立の作業工程を事前に確認することができる足場模型セット及びその使用方法を提供する。【解決手段】足場模型セットを、種々の足場部材に対応するそれぞれの足場部材模型の長さが同一の比率で縮小されていると共に、他の足場部材模型と着脱可能に連結される連結部の構成が実物の足場部材と同様である複数の足場部材模型を具備する構成とする。この足場模型セットを使用して、実物の足場に使用される足場部材に対応する足場部材模型を、実際の作業工程に従って、前記実物の足場と同一の構造の足場模型に組立てることを特徴とする足場模型セットの使用方法。【選択図】図９
2016206471.tif 000002
【特許請求の範囲】
【請求項１】
種々の足場部材に対応するそれぞれの足場部材模型の長さが同一の比率で縮小されていると共に、他の足場部材模型と着脱可能に連結される連結部の構成が実物の足場部材と同様である複数の足場部材模型
を具備することを特徴とする足場部材セット。
【請求項２】
請求項１に記載の足場模型セットを使用して、
実物の足場に使用される足場部材に対応する足場部材模型を、
実際の作業工程に従って、
前記実物の足場と同一の構造の足場模型に組立てる
ことを特徴とする足場模型セットの使用方法。
【発明の詳細な説明】
【技術分野】
【０００１】
本発明は、足場模型セット及びその使用方法に関するものである。
【背景技術】
【０００２】
住宅やビル等の建物、橋梁やトンネル等の土木構造物の建築現場において高さ２ｍ以上の高所作業を行う場合、足場を設置することが義務付けられている。一般に足場は、所定の間隔で立設される支柱と、隣合う支柱に横架される棒状の横架材と、平行に横架された二本の横架材の間に架設される平板状の踏板等から構成されている。
【０００３】
そして、足場を設置する場合は、「働きやすい安心感のある足場」を設置することが求められている。具体的には、作業者が踏板から転落することを防止するために踏板に幅木を立設すること、資材や工具等が落下することを防止するために幅木やメッシュシート、または防網を設置することが義務付けられている。更に、作業の安全性を高めるために階下から階上の手摺を組立てる「手摺先行工法」により作業を行うことが求められている。
【０００４】
上記のように、足場を組立てる作業は複雑になっている。特に、高層ビルやショッピングモール等の大型の建物を建築する際に設置される足場は複雑であり、使用される足場部材の数量も膨大なものとなる。そして、このような複雑な足場を限られた工期で設置することは、経験のある作業員であっても困難な作業である。まして、経験の少ない作業員にとっては、より困難な作業となる。
【０００５】
このため、図面や工程表等を使用して、建築現場に設置する足場の構造や、組立の作業工程を事前に確認することが行われている。しかしながら、平面的な図面から立体的な足場の構造を確認することや、組立の作業工程を作業書の文章のみから確認することは容易ではなかった。このように、建築現場で組立てる足場の立体的な構造を事前に確認する手段や、組立の作業工程を確認するための十分な手段は従来無く、足場の設置をより困難な作業にしていた。
【発明の概要】
【発明が解決しようとする課題】
【０００６】
そこで、本発明は、上記の実情に鑑み、現場で組立てる足場の構造を立体的に確認できると共に、組立の作業工程を事前に確認することができる足場模型セット及びその使用方法の提供を、課題とするものである。
【課題を解決するための手段】
【０００７】
請求項１の発明にかかる足場模型セットは、
「種々の足場部材に対応するそれぞれの足場部材模型の長さが同一の比率で縮小されていると共に、他の足場部材模型と着脱可能に連結される連結部の構成が実物の足場部材と同様である複数の足場部材模型を具備する」ものである。
【０００８】
「足場部材」は、クサビ緊結式と称される足場部材であれば、支柱、横架材、踏板、先行手摺等がある。「連結部」は、支柱であれば棒状の本体に一定の間隔で複数突設された横断面がコ字状の部材を指す。横架材であれば、棒状の本体の両端から同一方向に延びるクサビ状の部材を指す。
【０００９】
本構成の足場模型セットは、実物の足場部材の長さが同一の比率で縮小された足場部材模型を複数備えるものである。従って、足場部材模型を使用して組立てた足場模型は、実物の足場を所定の比率で縮小したものとなる。また、それぞれの足場部材模型の連結部の構成は、実物の連結部と同様であり、他の足場部材模型と着脱可能に連結することができる。これにより、実際の作業工程と同じ工程で足場部材模型を組立てることができると共に、解体することができる。
【００１０】
請求項２の発明にかかる足場模型セットの使用方法は、
「上記の足場模型セットを使用して、
実物の足場に使用される足場部材に対応する足場部材模型を、
実際の作業工程に従って、
前記実物の足場と同一の構造の足場模型に組立てる」ものである。
【００１１】
本構成の足場模型セットの使用方法では、上記構成の足場部材模型を使用して実際に建築現場で組立てる実物の足場と同一構造の足場模型を組立てる。この際、実物の足場に使用される足場部材に対応する足場部材模型を使用するため、実物の足場を組立てるために必要な足場部材の種類と数量を把握することができる。
【００１２】
また、実際の作業工程に従って足場部材模型を組立てることにより、組立の作業工程を確認することができる。
【００１３】
更に、上記構成の足場部材模型を使用して組立てた足場模型は、実物の足場を所定の比率で縮小したものとなるため、実物の足場の構造を立体的に確認することができる。
【００１４】
従って、実際の作業に先立って上記構成の足場模型セットを上記方法で使用することにより、必要な足場部材の種類と数量や、作業工程、足場の立体的な構造を事前に確認することができるため、実際の作業にかかる負担を軽減することができる。
【発明の効果】
【００１５】
以上のように、本発明の効果として、現場で組立てる足場の構造を立体的に確認できると共に、組立の作業工程を事前に確認することができる足場模型セット及びその使用方法を、提供することができる。
【図面の簡単な説明】
【００１６】
【図１】本発明の一実施形態である足場模型セットを使用した足場模型の組立の第一工程を説明する斜視図である。
【図２】本発明の一実施形態である足場模型セットを使用した足場模型の組立の第二工程を説明する斜視図である。
【図３】本発明の一実施形態である足場模型セットを使用した足場模型の組立の第三工程を説明する斜視図である。
【図４】本発明の一実施形態である足場模型セットを使用した足場模型の組立の第四工程を説明する斜視図である。
【図５】本発明の一実施形態である足場模型セットを使用した足場模型の組立の第五工程を説明する斜視図である。
【図６】本発明の一実施形態である足場模型セットを使用した足場模型の組立の第六工程を説明する斜視図である。
【図７】本発明の一実施形態である足場模型セットを使用した足場模型の組立の第七工程を説明する斜視図である。
【図８】本発明の一実施形態である足場模型セットを使用した足場模型の組立の第八工程を説明する斜視図である。
【図９】本発明の一実施形態である足場模型セットを使用して組立てた足場模型の斜視図である。
【図１０】実物の足場部材を使用して組立てた足場の（ａ）は正面図、（ｂ）は平面図、（ｃ）は側面図である。
【図１１】実物の足場部材の連結部を示した拡大斜視図である。
【発明を実施するための形態】
【００１７】
以下、本発明の一実施形態である足場模型セットについて図１乃至図９を用いて説明する。
【００１８】
本実施形態の足場模型セットは、種々の実物の足場部材の長さを同一の比率で縮小した複数の足場部材模型を備えている。実物の足場部材は、クサビ緊結式と称されるものであり、複数の足場部材模型はそれぞれ対応する実物の足場部材と同様の構成の連結部を有している。クサビ緊結式の足場部材の連結部は、他の足場部材と着脱可能に連結される。従って、足場部材模型の連結部も他の足場部材模型と着脱可能に連結することができる構成になっている。
【００１９】
本実施形態の足場模型セットの縮小の比率は１０分の１に設定されている。また、足場部材模型の連結部はＡＢＳ樹脂で形成されており、本体部分はアクリル樹脂で形成されている。なお、足場部材模型は樹脂製に限らず、金属製や木製とすることができる。ここでは、基本的な足場部材の模型である支柱模型、横架材模型、踏板模型、先行手摺模型、幅木模型、ジャッキベース模型、及び昇降階段模型について説明する。
【００２０】
支柱模型１０は、図２に示すように、実物の支柱１１０と同様に（図１０及び図１１参照）、支柱本体１１が円柱状に形成されている。また、連結部として支柱本体１１の外周面に上下に一定の間隔で配設された楔受部１２と、支柱本体１１の下端に開口した支柱孔部１３と、支柱本体１１の上端から上方に延びた挿入部１４を有している。
【００２１】
挿入部１４は、支柱孔部１３に挿入して固定できるように形成されている。ここでは、挿入部１４は円柱状に形成されている。支柱孔部１３は、横断面が円形であり、その直径が挿入部１４と略同一に形成されている。従って、支柱模型１０は実物と同様に、支柱孔部１３に他の支柱模型１０の挿入部１４を挿入して連結することができる。この際、接着剤等は使用しなくても支柱模型１０を固定することができる。このため、連結した支柱模型１０を容易に分離することができる。
【００２２】
楔受部１２は、上下に重ねた二個の矩形枠状の部材を中心位置で直交させたものであり、中心位置に支柱本体１１を挿通させて接着剤により固定されている。これにより、支柱本体１１の外周に９０度間隔で上下に貫通した孔部が形成される。なお、実物の楔受部１１２の構成は、支柱１１０の支柱本体１１１の外周面に四つの横断面コ字状の部材が９０度間隔で取付けられており、それぞれ上下に貫通した孔部を形成している。
【００２３】
実物の支柱１１０は、長さが４５０ｍｍ〜３６００ｍｍの範囲で複数の種類があり、これに対応して支柱模型１０は長さが４５ｍｍ〜３６０ｍｍの範囲で複数の種類を有する。実物の支柱１１０では、楔受部１１２が４５０ｍｍ間隔で配設されているものと４７５ｍｍ間隔で配設されているものがある。これに対応して、支柱模型１０も楔受部１２が４５ｍｍ間隔で配設されているものと４７．５ｍｍ間隔で配設されているものとで二種類となっている。
【００２４】
横架材模型２０は、図３に示すように、実物の横架材１２０と同様に（図１０及び図１１参照）、棒状の横架材本体２１と、連結部として横架材本体２１の両端にそれぞれ取付けられた平板状の楔部材２２を二個有している。二個の楔部材２２は、同一方向へ平行に延びており、支柱模型１０の楔受部１２の孔部に挿入可能に形成されている。従って、実物と同様に楔受部１２の孔部に楔部材２２を上方から挿入して支柱模型１０に横架材模型２０を取付けることができる。同様に、楔部材２２を上方へ移動させて楔受部１２から引抜くことにより、横架材模型２０を取外すことができる。
【００２５】
実物の横架材１２０は、長さが２００ｍｍ〜１８００ｍｍの範囲で複数の種類があり、これに対応して横架材模型２０も長さが２０ｍｍ〜１８０ｍｍの範囲で複数の種類を有する。なお、実物の横架材１２０の長さは、横架材１２０により連結された二本の支柱１１０の中心軸間の長さ（以下において軸間寸法と称する）で示しており、同様に横架材模型２０も軸間寸法で長さを示している。
【００２６】
踏板模型３０は、図６に示すように、実物の踏板１３０と同様に（図１０及び図１１参照）、矩形平板状の踏板本体３１と、連結部として踏板本体３１の短辺にそれぞれ二つ取付けられたフック部材３２を有している。フック部材３２は、横架材模型２０の横架材本体２１に係着可能に形成されていると共に、下方に開口している。これにより、実物と同様に、上方から横架材模型２０にフック部材３２を係着させて踏板模型３０を取付けることができる。また、横架材模型２０に係着されたフック部材３２を上方に移動させて係着状態を解除することにより踏板模型３０を横架材模型２０から取外すことができる。
【００２７】
実物の踏板１３０の長さは、軸間寸法で６００ｍｍ〜１８００ｍｍの範囲で複数の種類があり、これに対応して踏板模型３０も長さが６０ｍｍ〜１８０ｍｍの範囲で複数の種類を有する。また、実物の踏板１３０は、前後方向の長さが２５０ｍｍと４００ｍｍのものがあり、これに対応して踏板模型３０の前後方向の長さも２５ｍｍと４０ｍｍに形成された二種類となっている。
【００２８】
先行手摺模型４０は、図４に示すように、実物の先行手摺１４０と同様に（図１０参照）、矩形枠状の枠本体４１と、枠本体４１の左右に架設された横桟４２と、枠本体４１の上下へ架設された二本の縦桟４３を有している。そして、連結部として枠本体４１の左側及び右側の上部、中央部、下部にそれぞれ配設された手摺楔部４４を有している。手摺楔部４４は、枠本体４１から左右方向に延出した先から下方に屈曲したＬ字状の形状を有しており、支柱模型１０の楔受部１２の孔部に上方から挿入可能に形成されている。従って、実物の先行手摺１４０と同様に、先行手摺模型４０の長さだけ離れて立設されている二本の支柱模型１０の楔受部１２に上方から手摺楔部４４をそれぞれ挿入して先行手摺模型４０を取付けることができる。また、先行手摺模型４０を上方に移動させて手摺楔部４４を楔受部１２から引抜くことにより取外すことができる。
【００２９】
実物の先行手摺１４０には、長さが軸間寸法で１２００ｍｍのものがある。この先行手摺１４０に対応した先行手摺模型４０の長さは１２０ｍｍに形成されている。
【００３０】
幅木模型５０は、図８に示すように、実物の幅木１５０と同様に（図１０参照）、矩形平板状の壁部５１ａ、壁部５１ａの下端から略直角に延出した平板状の床部５１ｂにより形成されるＬ字状の幅木本体５１と、連結部として壁部５１ａの背面に設けられた鉤部材５２とを有している。鉤部材５２は、壁部５１ａの左右に離れた位置にそれぞれ上下に二個配設されている。鉤部材５２は、壁部５１ａから略直角に延出し、幅木本体５１の長手方向へ屈曲した略Ｌ字状の部材であり、先行手摺模型４０の枠本体４１または縦桟４３を挟着可能に形成されている。また、鉤部材５２の屈曲の方向は、左右の鉤部材５２で同一方向になっている。従って、実物の幅木１５０と同様に、幅木模型５０を水平方向に移動させて鉤部材５２に枠本体４１を挟着させることにより、幅木模型５０を取付けることができる。また、取付けた方向とは逆方向に幅木模型５０を移動させて挟着状態を解除することにより取外すことができる。
【００３１】
実物の幅木１５０には、長さが軸間寸法で略１２００ｍｍ、上下方向の長さが１５０ｍｍのものがある。この幅木１５０に対応した幅木模型５０の長さは略１２０ｍｍ、上下方向の長さは１５ｍｍに形成されている。
【００３２】
ジャッキベース模型６０は、図１に示すように、実物のジャッキベース１６０と同様に（図１０参照）、平板状の基板６１と、外周面に雄ネジが形成されていると共に、基板６１から垂直に延出したジャッキ軸部６２と、ジャッキ軸部６２に螺合されたナット部材６３を有している。なお、図では雄ネジの図示を省略している。ジャッキ軸部６２は、支柱模型１０の支柱孔部１３に挿入可能な太さに形成されており、ナット部材６３は支柱模型１０の支柱本体１１よりも太く形成されている。従って、実物と同様に、ジャッキベース模型６０は、ジャッキ軸部６２を支柱模型１０の支柱孔部１３に挿入して支柱１０を支持することができる。このとき、支柱模型１０はナット部材６３に当接した状態になる。そして、ナット部材６３を進退させることにより、支柱模型１０の高さを変えることができる。また、支柱模型１０は接着剤等を使用せずにジャッキベース模型６０に取付けることができると共に、ジャッキベース模型６０に取付けられた支柱模型１０を取外すことができる。実物のジャッキベース１６０の上下方向の長さは６００ｍｍに設定されており、これに対応してジャッキベース模型６０の上下方向の長さは６０ｍｍに形成されている。
【００３３】
昇降階段模型７０は、図７に示すように、実物の昇降階段１７０と同様（図１０参照）に、離れた位置にある二個の平板状の設置部材７１と、それぞれの設置部材７１から斜め上方に延出した二本の棒状の支持部材７２と、支持部材７２の間に水平に取付けられていると共に、上下方向に一定の間隔で複数取付けられている階段部材７３と、連結部として支持部材７２の上端に設けられた階段フック部材７４とを有している。昇降階段模型７０の階段フック部材７４は横架材模型２０に係着可能に形成されている。従って、昇降階段模型７０は階段フック部材７４を横架材２０に係着させて取付けることができる。また、階段フック部材７４の係着状態を解除することにより、昇降階段模型７０を取外すことができる。実物の昇降階段１７０は、上下方向と左右方向の長さが共に９００ｍｍのものと、１８００ｍｍのものがある。これに対応して、昇降階段模型７０は、上下方向と左右方向の長さが共に９０ｍｍに形成されたものと、１８０ｍｍに形成されたものとで二種類となっている。
【００３４】
次に、本実施形態の足場部材模型セットの使用方法について説明する。本実施形態の足場部材模型セットの使用方法では、実物の足場に使用される足場部材に対応する足場部材模型を使用して実際の作業工程に従って、実物の足場を縮小した構造の足場模型を組立てる。ここでは、図１０に示す簡易的な足場１００を縮小した構造の足場模型１を組立てることとする。
【００３５】
簡易的な足場１００には、前後方向に二個、左右方向に三個のジャッキベース１６０が配設されている。それぞれのジャッキベース１６０には、ジャッキ軸部１６２を支柱孔部１１３に挿入させて支柱１１０が立設されている。ここで、前後方向の支柱１１０間の長さが軸間寸法で６００ｍｍ、左右方向の支柱１１０間の長さが軸間寸法で１２００ｍｍとなるように、ジャッキベース１６０は配設されている。支柱１１０は、長さが１８００ｍｍで四個の楔受部１１２が４５０ｍｍ間隔で配設されているものが使用されている。楔受部１１２は、下から順に一段目、二段目と称することとする。ジャッキベース１６０のナット部材１６３の位置は、設置面から一段目の楔受部１１２の上下方向の長さが４５０ｍｍになるように調整されている。
【００３６】
前後方向に隣合う支柱１１０の一段目と二段目の楔受部１１２には、楔部材１２２を楔受部１１２の孔部に挿入して長さ６００ｍｍの短い横架材１２０ａが取付けられている。また、左右方向に隣合う支柱１１０の一段目の楔受部１１２には、楔部材１２２を楔受部１１２の孔部に挿入して長さ１２００ｍｍの長い横架材１２０ｂが取付けられている。長い横架材１２０ｂは、前側に立設されている支柱１１０の二段目の楔受部１１２にも取付けられている。つまり、簡易的な足場１００では、六本の短い横架材１２０ａと、六本の長い横架材１２０ｂとが使用されている。
【００３７】
後側に立設されている支柱１１０間には、二段目から四段目の楔受部１１２の孔部に手摺楔部１４４を挿入して先行手摺１４０が取付けられている。先行手摺１４０は、長さ１２００ｍｍのものが二個使用されている。
【００３８】
支柱１１０の二段目の楔受部１１２に取付けられた隣合う短い横架材１２０ａにそれぞれフック部材１３２を係着させて踏板１３０が取付けられている。踏板１３０は左右方向の長さが１２００ｍｍ、前後方向の長さが４００ｍｍのものが二個使用されている。
【００３９】
先行手摺１４０には、それぞれ幅木１５０が取付けられている。幅木１５０は鉤部材１５２により先行手摺１４０の枠本体１４１を挟着させて、先行手摺１４０の下側に取付けられている。幅木１５０の床部１５１ｂは、踏板１３０に当接した状態になっている。幅木１５０は長さが略１２００ｍｍ、上下方向の長さが１５０ｍｍのものが二個使用されている。
【００４０】
左側に立設された支柱１１０の二段目の楔受部１１２に取付けられた短い横架材１２０ａに階段フック部材１７４を係着させて昇降階段１７０が取付けられている。昇降階段１７０は上下方向の長さ及び左右方向の長さが９００ｍｍのものが使用されている。
【００４１】
上記構造の簡易的な足場１００を縮小した構造の足場模型１を本実施形態の足場模型セットを使用して以下に説明する実際の作業工程に従って組立てる。組立てる際の作業工程には、準備工程と組立工程がある。
【００４２】
まず、準備工程として、簡易的な実物の足場１００に使用された足場部材に対応する足場部材模型を準備する。つまり、長さが１８０ｍｍで、楔受部１２が４５ｍｍ間隔で四個配設された支柱模型１０を六本と、長さが６０ｍｍの短い横架材模型２０ａを六本と、長さが１２０ｍｍの長い横架材模型２０ｂを六本と、長さが１２０ｍｍ、前後方向の長さ（幅）が４０ｍｍの踏板模型３０を二個と、長さが１２０ｍｍの先行手摺模型４０を二個と、長さが略１２０ｍｍ、上下方向の長さ（高さ）が１５ｍｍの幅木模型５０を二個と、上下方向の長さが６０ｍｍのジャッキベース模型６０を六個と、上下方向の長さが９０ｍｍで左右方向の長さが９０ｍｍの昇降階段模型７０を一個準備する。
【００４３】
組立工程には、以下に説明する第一工程乃至第八工程があり、この工程の順に足場部材模型１を組立てる。
【００４４】
始めに、第一工程として、図１に示すように、所定の位置にジャッキベース模型６０を配設する。簡易的な足場１００と同様に、ジャッキベース模型６０を前後方向に軸間寸法で６０ｍｍの間隔を設けて二個、左右方向に軸間寸法で１２０ｍｍの間隔を設けて三個配設する。なお、実物の足場を設置する場所の地盤が軟らかく沈下するおそれがある場合に、敷板と称される平板を配設し、この上にジャッキベース１６０を配設することがある。
【００４５】
第二工程は、図２に示すように、ジャッキベース模型６０に支柱模型１０を立設する。ここでは、支柱孔部１３にジャッキ軸部６２を挿入して六本の支柱模型１０をそれぞれ六個のジャッキベース模型６０に立設する。
【００４６】
第三工程は、図３に示すように、支柱模型１０の一段目の楔受部１２に横架材模型２０を取付ける。ここでは、前後方向に隣合う支柱模型１０に短い横架材模型２０ａを取付け、左右方向に隣合う支柱模型１０に長い横架材模型２０ｂを取付ける。なお、実物の足場において、支柱１１０の一段目の楔受部１１２に取付ける横架材１２０を根がらみと称する場合がある。
【００４７】
第四工程は、図４に示すように、先行手摺模型４０を後側の三本の支柱模型１０の間に取付ける。ここでは、先行手摺模型４０を、左右方向に隣合う支柱模型１０の二段目から四段目の楔受部１２の孔部に手摺楔部４４を上方から挿入して取付ける。
【００４８】
ここで、実物の先行手摺１４０は、縦桟１４３等を把持して設置面から取付けることができる。これは、足場が高層化した場合も同様であり、階下から階上の先行手摺１４０を取付けることができる。つまり、上の階に登った際に既に手摺が設けられているため、安全に作業をすることができる。足場模型セットを使用して足場の模型を組立てる場合は、実際の作業工程に従って先行手摺模型４０を取付けることにより、「手摺先行工法」を確認することができる。
【００４９】
第五工程は、図５に示すように、前側の支柱模型１０の二段目の楔受部１２に長い横架材２０ｂを取付けると共に、前後に配設されている支柱模型１０の二段目の楔受部１２に短い横架材模型２０ａを取付ける。
【００５０】
第六工程は、図６に示すように、二段目の楔受部１２に取付けられた隣合う短い横架材模型２０ａにフック部材３２を係着させて踏板模型３０を取付ける。実物の踏板１３０は、先行手摺１４０と同様に階下から取付ける。足場模型１では、実際の工程に従い昇降階段模型７０を取付ける工程の前に踏板模型３０を取付けることにより、これを確認することができる。
【００５１】
第七工程は、図７に示すように、昇降階段模型７０を取付ける。ここでは、昇降階段模型７０は左端の短い横架材２０ａに階段フック部材７４を係着させて取付ける。
【００５２】
第八工程は、図８に示すように、鉤部材５２に先行手摺模型４０の枠本体４１を挟着させて幅木模型５０を取付ける。この際、模型床部５１ｂは踏板模型３０に当接させる。実物の足場では、幅木１５０を取付けることにより、支柱１１０と踏板１３０の隙間を塞ぐことができる。これにより、踏板１３０から作業者や工具、資材等が落下することを防止することができる。
【００５３】
上記の工程により、図９に示すように、実物の簡易的な足場１００を１０分の１の大きさに縮小した足場模型１を組立てることができる。なお、上記の足場模型１は、説明の便宜上簡易な構造のものとしたが、複雑な構造の足場模型も上記の工程を組合わせることにより組立てることができる。例えば、足場を高層化する際は、支柱１１０に他の支柱１１０を連結しつつ、先行手摺１４０を取付ける第四工程から以下の工程を繰返すことにより、高層化した足場を組立てることができる。
【００５４】
上記のように、本実施形態の足場模型セットの使用方法では、実物の足場に使用される足場部材に対応する足場部材模型を使用する。これにより、実物の足場を組立てる際に必要な足場部材の種類と数量を把握することができる。
【００５５】
また、足場模型を実物の足場を組立てる実際の作業工程に従って組立てることにより、工程表等からだけでは把握することが難しい組立の作業工程を把握することができる。この際、足場部材模型の連結部は実物の足場部材と同様に形成されており、その取付けの手順も同様であるため、実際の作業を把握しやすい。
【００５６】
更に、足場模型があることにより、図面から平面的な足場の構造しか確認できなかった従来と異なり、足場の構造を立体的に把握することができる。
【００５７】
従って、実物の足場を組立てる作業に先立って本実施形態の足場模型セットを上記の方法で使用することにより、必要な足場部材の数量や、作業工程、組立てられる足場の立体的な構造を確認することができるため、実際の作業の負担を軽減することができる。
【００５８】
なお、足場模型を組立てる際に、各工程で想定される危険を確認することにより、実際の作業をより安全に行うことができる。具体的な作業中の危険としては、第二工程であれば支柱が倒壊すること、第五工程であれば、根がらみに躓いて転倒すること等がある。
【００５９】
また、本実施形態の足場模型セットは、新人を教育するための教材としても使用することができる。或いは、建築物の模型と組合わせて展示用の模型としても使用することができる。
【００６０】
更に、本構成の足場部材模型は着脱可能に他の足場部材模型と連結することができるため、組立の作業工程だけでなく、解体の作業工程を確認することもできる。
【００６１】
加えて、足場模型セットは、上記以外の足場部材に対応する足場部材模型を備えるものとすることができる。具体的には、ブラケットやトラスと称される足場部材に対応するブラケット模型やトラス模型等を備えるものとすることができる。この場合は、より複雑な足場を再現することができる。
【００６２】
以上、本発明について好適な実施形態を挙げて説明したが、本発明は上記の実施形態に限定されるものではなく、本発明の要旨を逸脱しない範囲において、種々の改良及び設計の変更が可能である。
【００６３】
例えば、上記の足場模型セットは、実物の足場部材の長さを１０分の１に縮小したものであるが、縮小の比率はこれに限られず、５分の１や２０分の１とすることができる。また、上記の足場模型セットは、クサビ緊結式と称される足場の模型であるが、複数のパイプを互いにクランプで固定して足場を組立てる単管式足場と称される足場部材の模型であってもよい。
【符号の説明】
【００６４】
１０  支柱模型
２０  横架材模型
３０  踏板模型
４０  先行手摺模型
５０  幅木模型
６０  ジャッキベース模型
７０  昇降階段模型
１１０  支柱
１２０  横架材
１３０  踏板
１４０  先行手摺
１５０  幅木
１６０  ジャッキベース
１７０  昇降階段
【図１】
2016206471.tif 000003
【図２】
2016206471.tif 000004
【図３】
2016206471.tif 000005
【図４】
2016206471.tif 000006
【図５】
2016206471.tif 000007
【図６】
2016206471.tif 000008
【図７】
2016206471.tif 000009
【図８】
2016206471.tif 000010
【図９】
2016206471.tif 000011
【図１０】
2016206471.tif 000012
【図１１】
2016206471.tif 000013